(57)【要約】【課題】分岐管で連結された複数の薬液シリンジを薬液注入装置に簡単に装着できる薬液注入システムを提供する。【解決手段】シリンダアダプタ２００は、複数の薬液シリンジ３００のシリンダ部材３０１を並列に保持する複数の管状部分２０１が形成されており、シリンダ保持部材１１１は、複数の薬液シリンジ３００が装着されている１個のシリンダアダプタ２００が装着される。このため、シリンダアダプタ２００で保持された複数の薬液シリンジ３００に分岐管を連結したセットを用意しておき、そのセットをシリンダ保持部材１１１に装着するようなことを容易に実施できる。【選択図】  図１
2004194877.tif 000002
【特許請求の範囲】
【請求項１】
シリンダ部材にピストン部材がスライド自在に挿入されている薬液シリンジの前記シリンダ部材と前記ピストン部材とを別個に保持して相対移動させる薬液注入システムであって、
複数の前記薬液シリンジのシリンダ部材を並列に保持する複数の管状部分を有するシリンダアダプタと、
このシリンダアダプタが着脱自在に装着されるシリンダ保持部材と、
このシリンダ保持部材に前記シリンダアダプタで装着された複数の前記薬液シリンジのピストン部材を個々に着脱自在に保持してスライド移動させるピストン駆動機構と、
を有している薬液注入システム。
【請求項２】
前記シリンダ保持部材は、複数の前記薬液シリンジが個々に直接に装着される複数のＵ字状の凹部が上面に形成されており、これら複数の凹の各々に前記シリンダアダプタの複数の管状部分が個々に係合する段部が形成されている請求項１に記載の薬液注入システム。
【請求項３】
前記薬液シリンジは、複数種類の薬液ごとに相違するサイズに形成されており、
前記シリンダ保持部材は、前記凹部の個数が前記薬液の種類の個数に対応しており、複数の前記凹部の形状が複数サイズの前記薬液シリンジのシリンダ部材に個々に対応しており、
前記シリンダアダプタは、前記管状部分の個数が前記薬液の種類の個数に対応しており、複数の前記管状部分の内径が複数サイズの前記薬液シリンジのシリンダ部材に個々に対応している請求項２に記載の薬液注入システム。
【請求項４】
前記薬液シリンジは、各種サイズに形成されており、
前記シリンダ保持部材は、前記凹部の形状が最大サイズの前記薬液シリンジのシリンダ部材に対応しており、
前記シリンダアダプタは、各種サイズの前記薬液シリンジごとに用意されており、前記管状部分の内径が各種サイズの前記薬液シリンジのシリンダ部材に対応している請求項２に記載の薬液注入システム。
【請求項５】
前記薬液シリンジは、複数種類の薬液ごとに各種サイズに形成されており、
前記シリンダ保持部材は、前記凹部の個数が前記薬液の種類の個数に対応しており、複数の前記凹部の形状が前記薬液の種類ごとの最大サイズの前記薬液シリンジのシリンダ部材に対応しており、
前記シリンダアダプタは、各種サイズの前記薬液シリンジごとに用意されており、前記管状部分の個数が前記薬液の種類の個数に対応しており、複数の前記管状部分の内径が前記薬液の種類ごとの各種サイズの前記薬液シリンジのシリンダ部材に各々対応している請求項２に記載の薬液注入システム。
【請求項６】
前記シリンダ保持部材は、複数の前記凹部の後端の前後方向での位置が相違しており、
前記シリンダアダプタは、複数の前記管状部分の後端の位置が前記シリンダ保持部材の凹部の後端の位置に対応している請求項３または５に記載の薬液注入システム。
【請求項７】
前記薬液シリンジは、各種サイズに形成されており、前記シリンダ部材の後端外周にシリンダフランジが形成されており、
前記シリンダ保持部材は、最大サイズの前記薬液シリンジのシリンダフランジが係合する凹溝が前記凹部の後端に形成されており、
前記シリンダアダプタは、最大以外のサイズの前記薬液シリンジが装着される前記管状部分の後端外周に最大サイズの前記薬液シリンジのシリンダフランジと同一形状のアダプタフランジが形成されている請求項４ないし６の何れか一項に記載の薬液注入システム。
【請求項８】
前記シリンダアダプタは、前記管状部分に装着される前記薬液シリンジのシリンダフランジが係合する凹部が前記アダプタフランジの後面に形成されている請求項７に記載の薬液注入システム。
【請求項９】
前記シリンダアダプタは、所定位置に係合爪が形成されており、
前記係合爪を係脱自在に保持するロック機構が前記シリンダ保持部材に設けられている請求項１ないし８の何れか一項に記載の薬液注入システム。
【請求項１０】
シリンダ部材にピストン部材がスライド自在に挿入されている薬液シリンジの前記シリンダ部材を保持するシリンダアダプタであって、
複数の前記薬液シリンジのシリンダ部材を並列に保持する複数の管状部分が形成されているシリンダアダプタ。
【請求項１１】
前記薬液シリンジは、複数種類の薬液ごとに相違するサイズに形成されており、
前記管状部分の個数が前記薬液の種類の個数に対応しており、
複数の前記管状部分の内径が複数サイズの前記薬液シリンジのシリンダ部材に個々に対応している請求項１０に記載のシリンダアダプタ。
【請求項１２】
前記薬液シリンジは、各種サイズに形成されており、
前記管状部分の内径が各種サイズの前記薬液シリンジのシリンダ部材に対応している請求項１０に記載のシリンダアダプタ。
【請求項１３】
前記薬液シリンジは、複数種類の薬液ごとに各種サイズに形成されており、
前記管状部分の個数が前記薬液の種類の個数に対応しており、
複数の前記管状部分の内径が前記薬液の種類ごとの各種サイズの前記薬液シリンジのシリンダ部材に各々対応している請求項１０に記載のシリンダアダプタ。
【請求項１４】
複数の前記管状部分の後端の位置が前後方向で相違している請求項１１または１３に記載のシリンダアダプタ。
【請求項１５】
前記薬液シリンジは、前記シリンダ部材の後端外周にシリンダフランジが形成されており、
最大以外のサイズの前記薬液シリンジが装着される前記管状部分の後端外周に最大サイズの前記薬液シリンジのシリンダフランジと同一形状のアダプタフランジが形成されている請求項１２または１３に記載のシリンダアダプタ。
【請求項１６】
前記管状部分に装着される前記薬液シリンジのシリンダフランジが係合する凹部が前記アダプタフランジの後面に形成されている請求項１５に記載のシリンダアダプタ。
【請求項１７】
所定位置に係合爪が形成されている請求項１０ないし１６の何れか一項に記載のシリンダアダプタ。
【請求項１８】
請求項２に記載の薬液注入システムのシリンダ保持部材であって、
複数の前記薬液シリンジが個々に直接に装着される複数のＵ字状の凹部が形成されており、
これら複数の凹部の各々に前記シリンダアダプタの複数の管状部分が個々に係合する段部が形成されているシリンダ保持部材。
【発明の詳細な説明】
【０００１】
【発明の属する技術分野】
本発明は、薬液シリンジから被験者に薬液を注入する薬液注入システムに関し、特に、複数種類の薬液を自在に注入する薬液注入システムに関する。
【０００２】
【従来の技術】
現在、被験者の断層画像を撮像する医療装置として、ＣＴ(Computed Tomography)スキャナ、ＭＲＩ(Magnetic Resonance Imaging)装置、ＰＥＴ(Positron Emission Tomography)装置、等があり、被験者の血管画像を撮像する医療装置として、アンギオ装置、ＭＲＡ(MR Angio)装置、等がある。上述のような装置を使用するとき、被験者に造影剤や生理食塩水などの薬液を注入することがあり、この注入を自動的に実行する薬液注入システムも実用化されている。
【０００３】
ここで、このような薬液注入システムの一従来例を図８を参照して以下に説明する。ここで例示する薬液注入システム１は、薬液シリンジ１０が２個まで装着される１個の薬液注入装置２０と、後述する分岐管１８などからなる。薬液シリンジ１０は、１個のシリンダ部材１１と１個のピストン部材１２からなり、シリンダ部材１１は、後端面に開口した１個の穴部１３が内部に形成されている。
【０００４】
シリンダ部材１１の前端面は閉塞されて中央に中空の導管部１４が形成されており、この導管部１４の先端まで穴部１３が連通している。このシリンダ部材１１の穴部１３にピストン部材１２がスライド自在に挿入されており、このピストン部材１２とシリンダ部材１１との後端外周には、ピストンフランジ１５とシリンダフランジ１６とが各々形成されている。
【０００５】
薬液注入装置２０は、１個のシリンダ保持部材２１と２個のピストン駆動機構２２からなり、１個のシリンダ保持部材２１には、２個の薬液シリンジ１０のシリンダ部材１１を個々に保持する２個のＵ字状の凹部２３が形成されている。この２個の凹部２３の各々の後方に２個のピストン駆動機構２２が個々に配置されており、これらのピストン駆動機構２２は薬液シリンジ１０のピストン部材１２を保持してスライド移動させる。
【０００６】
なお、この薬液注入システム１は、先端部分が１個に集約されていて末端部分が２個に分岐している分岐管１８も有しており、この分岐管１８の２個の末端部分が２個の薬液シリンジ１０の導管部１４に個々に連結されている。この分岐管１８の１個の先端部分には、例えば、延長チューブによりカテーテルが連結されており、このカテーテルが被験者に連結される(図示せず)。
【０００７】
上述のような構成において、この従来例の薬液注入システム１では、１個の薬液注入装置２０により２個の薬液シリンジ１０から２種類の薬液を被験者に注入することができるので、例えば、ＣＴスキャナにより断層画像が撮像される被験者に造影剤を注入してから生理食塩水で後押しするようなことができる。
【０００８】
現在、上述のような薬液注入装置として各種の提案がある(例えば、特許文献１，２参照)。
【０００９】
【特許文献１】
特開２００２−１１０９６号  (第２−３頁、第１１−１４図)
【特許文献２】
特開２００２−１０２３４３号  (第２−３頁、第８図)
【００１０】
【発明が解決しようとする課題】
上述のような薬液注入システム１を実際に利用している現場では、前述のように薬液注入装置２０に２個の薬液シリンジ１０を装着して１個の分岐管１８に連結する場合、２個の薬液シリンジ１０と１個の分岐管１８とを連結したセットを用意しておき、そのセットを薬液注入装置２０に装着している。このため、柔軟な分岐管１８で連結された２個の薬液シリンジ１０をシリンダ保持部材２１の２つの凹部２３に装着する必要があり、その作業が容易ではない。
【００１１】
例えば、シリンダ保持部材２１に２個の薬液シリンジ１０を装着してから分岐管１８を連結することも不可能ではないが、これでは現場での作業が遅滞することになる。また、シリンダ保持部材２１は実際には可動アーム(図示せず)の先端に保持されていて不安定であり、そこに装着した薬液シリンジ１０に分岐管１８を連結することは容易ではない。
【００１２】
本発明は上述のような課題に鑑みてなされたものであり、シリンダ保持部材に複数の薬液シリンジを簡単に装着することができる薬液注入システムを提供することを目的とする。
【００１３】
【課題を解決するための手段】
本発明の薬液注入システムは、シリンダアダプタ、シリンダ保持部材、ピストン駆動機構、を有しており、シリンダアダプタは、複数の薬液シリンジのシリンダ部材を並列に保持する複数の管状部分が形成されている。シリンダ保持部材は、シリンダアダプタが着脱自在に装着され、ピストン駆動機構は、シリンダ保持部材にシリンダアダプタで装着された複数の薬液シリンジのピストン部材を個々に着脱自在に保持してスライド移動させる。
【００１４】
シリンダアダプタで保持された複数の薬液シリンジが、そのままシリンダ保持部材に装着されるので、例えば、シリンダアダプタで保持された複数の薬液シリンジに分岐管を連結したセットを用意しておき、そのセットをシリンダ保持部材に装着するようなことが実施される。
【００１５】
なお、本発明で云う各種の構成要素は、個々に独立した存在である必要もなく、複数の構成要素が１個の部材として形成されていること、ある構成要素が他の構成要素の一部であること、ある構成要素の一部と他の構成要素の一部とが重複していること、等も可能である。
【００１６】
【発明の実施の形態】
［実施の形態の構成］
本発明の実施の形態を図１ないし図５を参照して以下に説明する。なお、本形態では図１等に上下前後左右の方向を図示して説明に利用するが、これは説明を簡単とするために便宜的に規定するものであり、本発明を実施する場合の製造時や使用時の方向を限定するものではない。
【００１７】
本実施の形態の薬液注入システム１００は、図１および図２に示すように、薬液注入装置１０１とシリンダアダプタ２００とを有しており、このシリンダアダプタ２００を介するなどして薬液シリンジ３００が薬液注入装置１０１に装着される。
【００１８】
より詳細には、薬液シリンジ３００は、一従来例で説明した薬液シリンジ３００と同様に、シリンダ部材３０１にピストン部材３０２がスライド自在に挿入されており、シリンダ部材３０１とピストン部材３０２との後端外周にシリンダフランジ３０３とピストンフランジ３０４とが各々形成されている。
【００１９】
本形態の薬液注入装置１０１は、図２に示すように、支持スタンド１０２の上端に装置本体１０３が装着されており、装置本体１０３には、操作パネル１０４と液晶ディスプレイ１０５とが搭載されている。この装置本体１０３の側部には可動アーム１０６が装着されており、この可動アーム１０６の上端に注入ヘッド１１０が装着されている。
【００２０】
この注入ヘッド１１０は、図１に示すように、シリンダ保持部材である１個の保持部材本体１１１、複数種類のシリンダアダプタ２００、ピストン駆動機構１４０、からなり、保持部材本体１１１の上面には、薬液シリンジ３００の外形に対応した２つのＵ字状の凹部１１２が並列に形成されている。
【００２１】
これらの凹部１１２の各々の後部には凹溝１１３が形成されており、薬液シリンジ３００が保持部材本体１１１に装着されると、そのシリンダ部材３０１が凹部１１２で保持されるとともにシリンダフランジ３０３が凹溝１１３で保持される。
【００２２】
シリンダアダプタ２００は、図１および図４に示すように、薬液シリンジ３００のシリンダ部材３０１を並列に保持する２つの管状部分２０１と、これらの管状部分２０１を上部で連結する平板部分２０２と、が形成されている。より具体的には、シリンダアダプタ２００の管状部分２０１は、その後面にシリンダフランジ３０３の前面が当接することで、シリンダ部材３０１の後部が係合する形状に形成されている。
【００２３】
この状態でシリンダフランジ３０３はシリンダアダプタ２０２より外側に突出するので、薬液注入装置１０１は、図１に示すように、注入ヘッド１１０の凹部１１２の後部にシリンダアダプタ２００の管状部分２０１が係合する段部１１４が形成されており、この段部１１４の後端に連続する位置に凹溝１１３が形成されている。
【００２４】
また、図４に示すように、シリンダアダプタ２００の下面の中央には係合爪２０５が形成されており、図１に示すように、この係合爪２０５が挿入される開口孔１１６が保持部材本体１１１に形成されている。この保持部材本体１１１の内部には、図４に示すように、ロック機構１２０が内蔵されており、図５に示すように、このロック機構１２０が係合爪２０５を着脱自在に保持する。
【００２５】
より具体的には、ロック機構１２０は、回転軸１２１、操作レバー１２２、係合カム１２３、からなり、保持部材本体１１１の下面に露出している操作レバー１２２を手動操作で回動させると、この操作レバー１２２に回転軸１２１で連結されている係合カム１２３が係合爪２０５に係脱する。
【００２６】
ピストン駆動機構１４０は、駆動モータやスライダ機構で形成されて保持部材本体１１１の後部に内蔵されており、保持部材本体１１１にシリンダアダプタ２００を介するなどして装着された２個の薬液シリンジ３００のピストン部材３０２を個々に保持してスライド移動させる。
【００２７】
なお、本形態の薬液注入システム１００も、一従来例と同様に、図１に示すように、２個の薬液シリンジ３００に１個の分岐管２１０を装着することができる。この分岐管２１０は、先端部分が１個に集約されていて末端部分が２個に分岐しており、その２個の末端部分の各々には一方弁２１１が内蔵されている。
【００２８】
なお、本実施の形態の薬液注入装置１０１は、図３に示すように、ＣＴスキャナ１０００の撮像ユニット１００１の近傍で使用され、必要によりＣＴスキャナ１０００の制御ユニット１００２に接続される。この制御ユニット１００２はコンピュータシステムからなり、撮像ユニット１００１を動作制御するとともに断層画像を表示する。
【００２９】
［実施の形態の動作］
上述のような構成において、本実施の形態の薬液注入システム１００では、所望により薬液注入装置１０１の２つの凹部１１２に２個の薬液シリンジ３００を直接に個別に装着することができ、図１に示すように、２個の薬液シリンジ３００を１個のシリンダアダプタ２００で一度に装着することもできる。
【００３０】
薬液注入装置１０１にシリンダアダプタ２００を使用することなく薬液シリンジ３００を直接に装着すると、そのシリンダ部材３０１の前部が凹部１１２に保持されるとともに、シリンダフランジ３０３が凹溝１１３に保持される。このとき、ピストンフランジ３０４がピストン駆動機構１４０に保持されるので、これで薬液注入装置１０１は薬液シリンジ３００を駆動できる状態となる。
【００３１】
また、薬液注入装置１０１に２個の薬液シリンジ３００をシリンダアダプタ２００で装着する場合は、例えば、薬液注入装置１０１に装着されていないシリンダアダプタ２００の２つの管状部分２０１に、その後面にシリンダフランジ３０３の前面が当接するまで、２個の薬液シリンジ３００を後方から挿入する。この状態では２個の薬液シリンジ３００がシリンダアダプタ２００により一体に保持されているので、所望により、その２個の薬液シリンジ３００に分岐管２１０を連結することもできる。
【００３２】
つぎに、シリンダアダプタ２００で一体に保持された２個の薬液シリンジ３００を薬液注入装置１０１の保持部材本体１１１に上方から装着すると、そのシリンダ部材３０１の前部が凹部１１２に保持されるとともに、シリンダフランジ３０３が凹溝１１３に保持され、シリンダアダプタ２００の管状部分２０１は段部１１４に保持される。
【００３３】
このとき、図４および図５に示すように、作業者が保持部材本体１１１の下面に露出しているロック機構１２０の操作レバー１２２を回動させると、このロック機構１２０の係合カム１２３がシリンダアダプタ２００の係合爪２０５に係合する。
【００３４】
同時に、２個の薬液シリンジ３００のピストンフランジ３０４が２個のピストン駆動機構１４０に個々に保持されるので、これで薬液注入装置１０１は２個の薬液シリンジ３００を個々に駆動できる状態となり、例えば、被験者に造影剤を注入してから生理食塩水を注入するようなことができる。
【００３５】
［実施の形態の効果］
本実施の形態の薬液注入システム１００では、上述のように薬液注入装置１０１に２個の薬液シリンジ３００を装着する場合でも、２個の薬液シリンジ３００を１個のシリンダアダプタ２００に装着し、これを薬液注入装置１０１に装着すればよいので、その作業が簡単である。
【００３６】
特に、２個の薬液シリンジ３００に分岐管１８を連結する場合でも、シリンダアダプタ２００の２つの管状部分２０１に２個の薬液シリンジ３００を個々に装着し、これらの薬液シリンジ３００に分岐管１８を連結し、このセットを薬液注入装置１０１に装着すればよい。
【００３７】
このため、柔軟な分岐管１８で連結された２個の薬液シリンジ３００をシリンダ保持部材２１の２つの凹部２３に装着する煩雑な作業が必要なく、可動アーム１０６の先端に位置する不安定な保持部材本体１１１に装着した２個の薬液シリンジ３００に分岐管１８を連結する煩雑な作業も必要ない。
【００３８】
しかも、所望により保持部材本体１１１のロック機構１２０でシリンダアダプタ２００の係合爪２０５を保持することもできるので、シリンダアダプタ２００を保持部材本体１１１に確実に固定することもできる。なお、図４に示すように、係合爪２０５はシリンダアダプタ２００のデッドスペースに配置されており、シリンダアダプタ２００を作業台の上面などに配置しても係合爪２０５は干渉しない。
【００３９】
［実施の形態の変形例］
本発明は上述した形態に限定されるものではなく、その要旨を逸脱しない範囲で各種の変形を許容する。例えば、上記形態では薬液注入装置１０１およびシリンダアダプタ２００に２個の薬液シリンジ３００が装着されることを例示したが、これを３個以上とすることも可能である。
【００４０】
また、上記形態では薬液注入装置１０１およびシリンダアダプタ２００に２個の同一サイズの薬液シリンジ３００が装着されることを例示したが、薬液注入装置１０１およびシリンダアダプタ２００に装着される複数の薬液シリンジ３００のサイズが相違することも可能である。
【００４１】
さらに、上記形態では注入ヘッド１１０の２つの凹部１１２の後端の前後方向での位置が一致しており、シリンダアダプタ２００の２つの管状部分２０１の後端の前後方向での位置も一致していることを例示したが、これらが相違していることも可能である。
【００４２】
例えば、一般的にＣＴスキャナ１０００で撮像する被験者には造影剤と生理食塩水との２種類の薬液を注入するが、生理食塩水は造影剤に比較して少量で良いため、図６に示すように、同時に使用する造影剤用と生理食塩水用の薬液シリンジ３００−１，２が大小となることがある。
【００４３】
このような場合、薬液シリンジ３００−１，２に対応した形状にシリンダアダプタ４００の管状部分４０１および注入ヘッドの凹部(図示せず)を形成しておき、さらに、シリンダアダプタ４００の２つの管状部分４０１および保持部材本体の２つの凹部の後端の位置を相違させておくことが好適である。
【００４４】
上述のような薬液注入システム(図示せず)では、注入ヘッドの凹部に造影剤用と生理食塩水用の薬液シリンジ３００−１，２を間違いなく装着することができ、その薬液シリンジ３００−１，２のシリンダ部材３０１の後端が適切な位置に配置されるのでピストン部材３０２を的確にスライド移動させることができる。
【００４５】
また、上記形態では薬液シリンジ３００が一種類しかないことを想定したが、薬液シリンジ３００が各種サイズに形成されており、シリンダアダプタ２００が各種サイズの薬液シリンジ３００ごとに用意されていることも可能である。その場合、複数種類のシリンダアダプタ２００は、その管状部分２０１の内径が専用の薬液シリンジ３００のシリンダ部材３０１に対応しており、注入ヘッド１１０は、凹部１１２の形状が最大サイズの薬液シリンジ３００のシリンダ部材３０１に対応していることが好適である。
【００４６】
さらに、薬液シリンジ３００が複数種類の薬液ごとに各種サイズに形成されており、注入ヘッド１１０の凹部１１２とシリンダアダプタ２００の管状部分２０１との個数が薬液の種類の個数に対応しており、その凹部１１２の形状と管状部分２０１の内径とが薬液の種類ごとの最大サイズの薬液シリンジ３００のシリンダ部材３０１に対応していることも可能である。
【００４７】
また、上記形態では薬液シリンジ３００のシリンダフランジ３０３がシリンダアダプタ２００の管状部分２０１より外側に突出し、注入ヘッド１１０の凹溝１１３には薬液シリンジ３００のシリンダフランジ３０３のみ係合することを例示した。
【００４８】
しかし、図７に示すように、最大以外のサイズの薬液シリンジ３００が装着されるシリンダアダプタ５００の管状部分５０１の後端外周に最大サイズの薬液シリンジ３００のシリンダフランジ３０３と同一形状のアダプタフランジ５０２が形成されており、このアダプタフランジ５０２が注入ヘッド１１０の凹溝１１３に係合することも可能である。
【００４９】
さらに、シリンダアダプタ５００のアダプタフランジ５０２の後面にシリンダフランジ３０３が係合する凹部５０３が形成されていることにより、アダプタフランジ５０２が注入ヘッド１１０の凹溝１１３に円滑に係合できるようにすることも可能である。
【００５０】
また、上記形態ではシリンダアダプタ２００が、薬液シリンジ３００のシリンダ部材３０１の後部のみカバーすることを例示したが、例えば、シリンダ部材３０１の前端から後端まで全体をカバーすることも可能であり、シリンダ部材３０１の前面の外周部分までカバーすることも可能である。
【００５１】
さらに、上記形態では薬液シリンジ２００のシリンダ部材２０１にロッド形状のピストン部材２０２が挿入されていることを例示したが、このような薬液シリンジにはピストン部材がヘッド部のみの製品もある(図示せず)。このような薬液シリンジを利用する薬液注入装置では(図示せず)、ピストン駆動機構は金属製の強固なスライドアームなどで薬液シリンジのピストンヘッドを把持してスライド移動させるが、このような薬液注入装置にも上記形態のシリンダアダプタ２００は利用可能である。
【００５２】
また、本形態ではＣＴスキャナ１０００で撮像される被験者に薬液注入システム１００で造影剤や生理食塩水を注入することを想定したが、ＭＲＩ装置やアンギオ装置で撮像される被験者に薬液注入システム１００で造影剤や生理食塩水などの薬液を注入することも可能である。
【００５３】
【発明の効果】
本発明の薬液注入システムでは、複数の薬液シリンジを１個のシリンダアダプタに装着し、このシリンダアダプタに装着された複数の薬液シリンジを一度に薬液注入装置に装着することができるので、例えば、シリンダアダプタで保持された複数の薬液シリンジに分岐管を連結したセットを用意しておき、そのセットをシリンダ保持部材に装着するようなことを容易に実施することができる。
【図面の簡単な説明】
【図１】本発明の実施の形態の薬液注入システムを示す分解斜視図である。
【図２】薬液注入装置の外観を示す斜視図である。
【図３】ＣＴスキャナの外観を示す斜視図である。
【図４】シリンダアダプタの下面形状とロック機構との関係を示す分解斜視図である。
【図５】ロック機構の動作を示す斜視図である。
【図６】第１の変形例のシリンダアダプタと薬液シリンジとの外観を示す斜視図である。
【図７】第２の変形例のシリンダアダプタと薬液シリンジとの外観を示す斜視図である。
【図８】一従来例の薬液注入システムを示す分解斜視図である。
【符号の説明】
１００    薬液注入システム
１０１    薬液注入装置
１１１    シリンダ保持部材である保持部材本体
１１２    凹部
１２０    ロック機構
１４０    ピストン駆動機構
２００，４００，５００    シリンダアダプタ
２０１，４０１，５０１    管状部分
２０５    係合爪
３００    薬液シリンジ
３０１    シリンダ部材
３０２    ピストン部材
３０３    シリンダフランジ
５０２    アダプタフランジ
５０３    凹部
【図１】
2004194877.tif 000003
【図２】
2004194877.tif 000004
【図３】
2004194877.tif 000005
【図４】
2004194877.tif 000006
【図５】
2004194877.tif 000007
【図６】
2004194877.tif 000008
【図７】
2004194877.tif 000009
【図８】
2004194877.tif 000010